(57)【要約】【課題】  家族の帰宅による呼出なのか、セールスマンによる呼出なのかを一目でわかるようにすることを目的とする。また集合玄関機を操作する際、誤って他の住戸を呼び出すことを防ぐことを目的とする。【解決手段】  集合玄関機１０において、住戸番号とその住戸の居住者の名前とを関連付けたテーブルを記憶する記憶部１６を設け、住戸番号を入力した住戸の呼出時に、その住戸番号の居住者の名前を表示部１１Ｃに表示する。  また、住戸の住宅情報盤３０を呼び出す際に操作される呼出釦１４Ｂと、その呼出釦と同じ機能を有し、居住者又は友人によって操作される帰宅訪問釦１４Ｃとを設け、住宅情報盤が呼び出される際、呼出釦と帰宅訪問釦とによって、住宅情報盤の呼出音又は呼出表示を異ならせる。帰宅訪問釦による呼出の際に、住宅情報盤で解錠釦が押されると、その解錠操作を有効にして、直ちに、解錠信号を出力する。【選択図】図１
2005295279.tif 000002
【特許請求の範囲】
【請求項１】
住戸番号を表示する表示部と、住戸番号を入力する操作部とを備え、前記住戸番号を入力して訪問したい住戸の住宅情報盤を呼び出す集合玄関機において、
前記住戸番号とその住戸の居住者の名前とを関連付けたテーブルを記憶する記憶部を設け、
住戸番号を入力した住戸の呼出時に、前記住戸番号の居住者の名前を前記表示部に表示する制御部を設けたことを特徴とする集合玄関機。
【請求項２】
住戸を呼び出す際に操作される呼出釦と、該呼出釦と同じ機能を有し、居住者又は友人によって操作される帰宅訪問釦とを設け、
該帰宅訪問釦が操作される時のみ、前記表示部に居住者の名前を表示することを特徴とする請求項１記載の集合玄関機。
【請求項３】
住戸番号を表示する表示部と、住戸番号を入力する操作部とを備え、前記住戸番号を入力して訪問したい住戸の住宅情報盤を呼び出す集合玄関機において、
住戸の住宅情報盤を呼び出す際に操作される呼出釦と、該呼出釦と同じ機能を有し、居住者又は友人によって操作される帰宅訪問釦とを設け、
前記住宅情報盤が呼び出される際、呼出釦と帰宅訪問釦とによって、住宅情報盤の呼出音又は呼出表示を異ならせることを特徴とする集合玄関機。
【請求項４】
前記帰宅訪問釦による呼出の際、住宅情報盤で解錠釦が押された場合に、その解錠操作を有効にして、直ちに、解錠信号を出力するように制御することを特徴とする請求項３記載の集合玄関機。
【発明の詳細な説明】
【背景技術】
【０００１】
集合住宅であるマンションの集合玄関には集合玄関機が設置してある。この集合玄関機のテンキーで住戸番号を入力して呼出釦を押すと、訪問したい住戸の住宅情報盤とつながって、インターホン機能により住戸の住宅情報盤と通話をすることができる（例えば特許文献１参照）。
【特許文献１】特開２００３−１５８５８２号公報
【発明の開示】
【発明が解決しようとする課題】
【０００２】
集合玄関機から住戸を呼び出す時には、住戸番号を入力する必要があり、住戸番号を正確に覚えていないと、よその住戸を呼び出してしまうことがある。また住戸側では、家族が帰宅して集合玄関から呼び出す場合でも、セールスマンが集合玄関から呼び出す場合でも、同じ呼出音が鳴動し、モニタを確認しないと訪問者が誰であるかわからないという問題がある。また操作上、通話を開始しないと集合玄関のオートドアを解錠できないので、家族が帰宅してきた場合にも、いちいちハンドセットを取り上げる等の通話を開始するための操作をしてから解錠釦によりオートドアを解錠させていた。
【０００３】
そこで本発明は、家族の帰宅による呼出なのか、セールスマンによる呼出なのかを一目でわかるようにすることを目的とする。また集合玄関機を操作する際、誤って他の住戸を呼び出すことを防ぐことを目的とする。
【課題を解決するための手段】
【０００４】
本発明は以上の課題を解決するためになされたもので、住戸番号を表示する表示部と、住戸番号を入力する操作部とを備え、前記住戸番号を入力して訪問したい住戸の住宅情報盤を呼び出す集合玄関機において、前記住戸番号とその住戸の居住者の名前とを関連付けたテーブルを記憶する記憶部を設け、住戸番号を入力した住戸の呼出時に、前記住戸番号の居住者の名前を前記表示部に表示する制御部を設けたことを特徴とするものである。そして、住戸を呼び出す際に操作される呼出釦と、該呼出釦と同じ機能を有し、居住者又は友人によって操作される帰宅訪問釦とを設け、該帰宅訪問釦が操作される時のみ、前記表示部に居住者の名前を表示することを特徴とするものである。
【０００５】
また、住戸番号を表示する表示部と、住戸番号を入力する操作部とを備え、前記住戸番号を入力して訪問したい住戸の住宅情報盤を呼び出す集合玄関機において、住戸の住宅情報盤を呼び出す際に操作される呼出釦と、該呼出釦と同じ機能を有し、居住者又は友人によって操作される帰宅訪問釦とを設け、住宅情報盤が呼び出される際、呼出釦と帰宅訪問釦とによって、住宅情報盤の呼出音又は呼出表示を異ならせることを特徴とするものである。また、帰宅訪問釦による呼出の際、住宅情報盤で解錠釦が押された場合に、その解錠操作を有効にして、直ちに、解錠信号を出力するように制御することを特徴とするものである。
【発明の効果】
【０００６】
本発明は、住戸番号とその住戸の居住者の名前とを関連付けたテーブルを記憶する記憶部を設け、住戸の呼出時に、住戸番号の居住者の名前を表示部に表示させるようにしたので、その表示された名前を確認することで、誤った住戸番号を入力したかが直ぐにわかる。
【０００７】
また、呼出釦と同じ機能を有し、居住者又は友人によって操作される帰宅訪問釦を設け、この帰宅訪問釦が操作される時のみ、表示部に居住者の名前を表示するようにしたので、友人知人などよる訪問時にだけ名前を表示させることができる。従って、セールスマンなどが通常の呼出釦を操作しても、表示部には名前が表示されることはないので、居住者のプライバシーが守られる。
【０００８】
また、呼出釦と同じ機能を有し、居住者又は友人によって操作される帰宅訪問釦を設け、住宅情報盤が呼び出される際、呼出釦と帰宅訪問釦とによって、住宅情報盤の呼出音又は呼出表示を異ならせたので、居住者は、家族が帰宅したのか、それともセールスや宅配業者なのかを判別できる。
【０００９】
また、帰宅訪問釦による呼出の際、住宅情報盤で解錠釦が押された場合に、その解錠操作を有効にして、直ちに、解錠信号を出力するので、通話操作をすることなく、オートドアを開くすることができる。
【発明を実施するための最良の形態】
【００１０】
図１は本発明の集合玄関機が使用されるインターホンの全体のシステム図である。図２は集合玄関機及び住宅情報盤のブロック図である。図において、１０は集合玄関に設置される集合玄関機、２０は管理室などに設置させる通話制御装置、３０は各住戸内に設置される住宅情報盤である。それぞれの機器１０，２０，３０は通話線、映像線、制御線によって接続され、集合玄関機１０には、通話制御装置２０を介して複数の住宅情報盤３０が接続される。
【００１１】
集合玄関機１０は、盤面に表示部１１、操作部１３及び通話部１５とを備えている。表示部１１は、住戸番号（部屋番号）を表示する番号表示部１１Ｂと、居住者の名前を表示する名前表示部１１Ｃとで構成されている。また操作部１３はテンキーなどからなる住戸番号を入力する番号入力部１３Ｂと、入力した住戸の住宅情報盤を呼び出す呼出部１４とから構成されている。呼出部１４は、呼出釦１４Ｂと帰宅訪問釦１４Ｃと取消釦１４Ｄとから構成されている。呼出釦１４Ｂは、番号表示部１１Ｂに表示された番号の住戸を呼び出す際に操作され、当該住戸を呼び出す呼出信号を出力する。
【００１２】
帰宅訪問釦１４Ｃは、呼出釦１４Ｂと同じ機能、つまり、操作時に住戸を呼び出す呼出信号を出力する機能を有する。この帰宅訪問釦１４Ｃは、居住者が帰宅する際や居住者の友人が居住者を訪問する際に操作されるもので、言い換えれば居住者又は居住者と親しい人のみが操作をすることを目的とした呼出用の釦である。これに対し呼出釦１４Ｂは、セールスマンや宅配業者などが操作をする。このように本実施形態では、居住者との間柄によって操作される呼出用の釦１４Ｂ、１４Ｃを２つ備えている。この帰宅訪問釦１４Ｃは、セールスマンなどに無闇に操作されないように、呼出釦１４Ｂに比べ小さく形成するようにしてもよい。又は帰宅訪問釦１４Ｃだけをカバー（蓋）で覆うようにしたり、特定の暗証番号を入力しないと有効にならないように設定してもよい。なお取消釦１４Ｄは、入力した部屋番号を取り消したり、呼出信号を出力するのをキャンセルする際に使用される。
【００１３】
通話部１５は、マイクやスピーカなどの通話手段と訪問者を撮像するカメラとから構成されるが、本実施形態においては、公知のものをそのまま使用し、新規な特徴部分はないので、詳しい説明は省略する。
【００１４】
次に、住宅情報盤３０の盤面について説明する。住宅情報盤３０は、表示部３１，操作部３３及び通話部３５を備えている。通話部３５は、マイクやスピーカなどの通話手段及び通話釦３５Ｃから構成されるが、これも集合玄関機１０と同様に本実施形態の特徴部分ではないので、詳しい説明は省略する。表示部３１は、ＬＣＤなどから構成され、訪問者の映像を表示したり、警報画面を表示するモニタ部３１Ｂと、訪問者が誰なのかを簡易的に示す表示灯３１Ｃ、３１Ｄとから構成される。表示灯３１Ｃ、３１Ｄは、例えば２つの色の異なるＬＥＤから構成され、呼出釦１４Ｂが操作された際には、表示灯３１Ｄを赤色で点灯させ、帰宅訪問釦１４Ｃが操作された際には表示灯３１Ｃを青色で点灯させる。このように、住宅情報盤３０が呼び出される際、呼出釦１４Ｂと帰宅訪問釦１４Ｃとによって、住宅情報盤３０の呼出表示を異ならせてある。なお、呼出表示を異ならす代わりに、通話部３５を構成するスピーカから出力される呼出音（又は音声）を異ならせるようにしてもよい。このようにすることで、住戸の居住者は、訪問者が、家族や知人なのか、セールスマンなどの業者なのかを識別できる。
【００１５】
続いて、住戸番号を入力して訪問したい住戸の住宅情報盤３０を呼び出す集合玄関機１０のブロック構成について図２を用いて説明する。なお図１で説明した構成要素について、重複する説明は省略する。図２おいて、１６は記憶部で、住戸番号とその住戸の居住者の名前とを関連付けたテーブル（図３参照）を記憶している。このテーブルは、住戸番号毎に、その住戸の居住者の名前を記憶したデータベース（表）であり、住戸番号をキーにして、その住戸の居住者の名前を検索できる。なお、いかなる場合でも表示部１１に自分の名前を表示したくない居住者のために、テーブルには「表示不可」の項目を設定することが可能であり、この項目が設定されている場合には、表示部１１への表示を行うことができない。
【００１６】
１７は送受信部で、通話制御装置２０を介して住宅情報盤３０と通信をする部分であり、音声信号、映像信号、各種制御信号などの信号を送受信する。この図２のブロック図で示した各構成要素である表示部１１〜送受信部１７までは、ＭＰＵ（マイクロプロセッサ）などで構成される制御部１８によって制御される。
【００１７】
次に住宅情報盤３０のブロック構成について説明する。なお図１で説明した構成要素について、重複する説明は省略する。図２において、３３は操作部で、各種操作釦の他、解錠釦を備えている。３６は接続インターフェースで、図示しない火災感知器やガス漏れ警報器などのセキュリティ機器が接続される。３７は送受信部で、通話制御装置２０を介して集合玄関機１０と通信をする部分であり、音声信号、映像信号、各種制御信号などの信号を送受信する。この図２のブロック図で示した各構成要素である表示部３１〜送受信部３７までは、ＭＰＵ（マイクロプロセッサ）などで構成される制御部３８によって制御される。
【００１８】
次に本実施形態の動作について説明する。まず居住者の家族、例えば父親が帰宅する場合について説明する。父親は自分の住戸番号をテンキー１３Ｂで入力して、帰宅訪問釦１４Ｃを押す。制御部１８は、住戸番号が入力される住戸の呼出時に、記憶部１６のテーブルを検索して、その住戸番号から居住者の名前を検索する。そしてその住戸番号の居住者の名前を名前表示部１１Ｃに表示するように制御する。こうして名前表示部１１Ｃに自分の名前が表示されることになる。ここで住戸番号を誤って入力すれば、当然、よその住戸の居住者の名前が表示されることになるので、その場合には取消釦１４Ｄを操作して、住戸番号の入力をやり直せばよい。
【００１９】
このように住戸を呼びだす際には、その住戸の居住者の名前が表示されるので、誤った呼出を防止することができ、集合住宅の住人に迷惑をかけずにすむ。この居住者の名前を表示する機能は、名前は正確に覚えているが、住戸番号ははっきりと覚えていない友人や知人などが集合玄関機１０を操作する際に特に有効となる。
【００２０】
集合玄関機１０側で帰宅訪問釦１４Ｃが操作されると、制御部１８は、帰宅訪問釦１４Ｃによる呼出があったことを示す呼出信号を送受信部１７を介して住宅情報盤３０に出力する。住宅情報盤３０では、呼出信号を受信すると、制御部３８が帰宅訪問者用の表示灯３１Ｃを青色で点灯させる。この点灯により住戸内にいる居住者は、セールスではなく、家族の誰かが帰宅したか、又は友人が訪問してきたことを知ることができる。また必要に応じて家族帰宅用に設定した呼出用のチャイムを鳴動させる。
【００２１】
ここで住戸内の居住者は、操作部３３の解錠釦を操作して集合玄関のオートドアを開放させることにより、父親は集合玄関内に入ることができる。なお、本来ならこの解錠釦の操作は、通話部３５の通話釦３５Ｃを操作して集合玄関機１０と通話状態にしてからでないと解錠操作が有効にならない。しかし家族の帰宅の度に、通話もしないのにこのような処理設定をすると、住戸側の操作が面倒となる。そこで、帰宅訪問釦１４Ｃによる呼出の際、解錠釦が押された場合には、その解錠操作を有効にして、直ちに、解錠信号を出力するように制御部３８が制御するようにしてもよい。
【００２２】
次にセールスマンがセールスで訪問する場合について説明する。セールスマンは訪問したい訪問先の住戸番号をテンキー１３Ｂで入力して、呼出釦１４Ｂを押す。ここで先程のように、住戸番号の居住者の名前を名前表示部１１Ｃに表示させることも可能であるが、セールスマンなど自分が知らない人間に名前を知られるのはあまり好まれない。そこで呼出釦１４Ｂによる呼出時には、名前表示部１１Ｃには名前を表示させず、帰宅訪問釦１４Ｃが操作される時のみ、名前表示部１１Ｃに居住者の名前を表示するように制御することが望ましい。このように構成すれば、セールスマンなどが通常の呼出釦１４Ｂを操作しても、表示部１１には名前が表示されることはないので、居住者のプライバシーが守られる。
【００２３】
集合玄関機１０側で呼出釦１４Ｂが操作されると、制御部１８は、呼出釦１４Ｂによる呼出があったことを示す呼出信号を送受信部１７を介して住宅情報盤３０に出力する。住宅情報盤３０では、呼出信号を受信すると、制御部３８がセールスなどの訪問者用の表示灯３１Ｄを赤色で点灯させる。この点灯により住戸内にいる居住者は、モニタ３１Ｂで確認する前に、家族や知人ではなく、セールスや宅配業者などの呼出であることを知ることができる。
【００２４】
ここで住戸内の居住者は、通話部３５の通話釦３５Ｃを操作して、集合玄関機１０にいる訪問者とインターホン機能による通話をする。そして必要であれば、操作部３３の解錠釦を操作して集合玄関のオートドアを開放させて、セールスマンを集合玄関内に入れることができる。
【００２５】
本実施形態においては、操作部に各種釦を設けた場合で説明したが、「釦」という表現は押し釦だけを意味するのではなく、タッチパネルなどの表示部上に設けられているスイッチも呼出釦となる。この場合には表示部と操作部とが一体になる。なお、名前表示部と番号表示部とは一つの表示部で形成する必要はなく、それぞれを分けてもよい。
【００２６】
なお、本発明の特徴部分は、名前表示部と記憶部からなる第１の発明と、呼出釦及び帰宅訪問釦と表示灯からなる第２の発明とからなるが、それぞれの発明を単独で構成してもよく、例えば第１の発明だけを実施するならば、表示灯は不要となる。また同様に第２の発明を実施するだけなら、記憶部のテーブルは不要となる。
【図面の簡単な説明】
【００２７】
【図１】本発明の集合玄関機を含む全体システム図である。
【図２】集合玄関機、住宅情報盤のブロック図である。
【図３】記憶部に格納されるテーブルの一例である。
【符号の説明】
【００２８】
１０  集合玄関機、  １１  表示部、  １３  操作部、  １３Ｂ  番号入力部、１４Ｂ  呼出釦、  １４Ｃ  帰宅訪問釦、  １４Ｄ  取消釦、  １５  通話部、１６  記憶部、  １７  送受信部、  １８  制御部、  ２０  通話制御装置、
３０  住宅情報盤、  ３１  表示部、  ３１Ｂ  モニタ、  ３１Ｃ  表示灯、
３１Ｄ  表示灯、  ３３  操作部（解錠釦）、  ３５  通話部、  ３８  制御部、
３５Ｃ  通話釦、  ３６  接続インターフェース、  ３７  送受信部、
【図１】
2005295279.tif 000003
【図２】
2005295279.tif 000004
【図３】
2005295279.tif 000005
【手続補正書】
【提出日】平成16年4月13日(2004.4.13)
【手続補正２】
【補正対象書類名】明細書
【補正対象項目名】０００１
【補正方法】変更
【補正の内容】
【０００１】
本発明はマンションなどの集合住宅の集合玄関（共同玄関ともいう）に設置される集合玄関機に関するものである。
集合住宅であるマンションの集合玄関には集合玄関機が設置してある。この集合玄関機のテンキーで住戸番号を入力して呼出釦を押すと、訪問したい住戸の住宅情報盤とつながって、インターホン機能により住戸の住宅情報盤と通話をすることができる（例えば特許文献１参照）。
【特許文献１】特開２００３−１５８５８２号公報